(57)【要約】      （修正有）【課題】プラテンローラにピンチローラが幅方向に均一な圧力で押圧可能にする。【解決手段】ホルダ５２と平行に動力シャフト５３に遊嵌支持された左右一対のピンチローラアーム５４Ａ、５４Ｂと、動力シャフト５３と平行にピンチローラアーム５４Ａ、５４Ｂに架設された動力中継シャフト５５、および上下一対のピンチローラ５６Ａ、５６Ｂと、動力シャフト５３と動力中継シャフト５５の中央部分同士を連結した動力中継アーム５７とを備え、動力中継シャフト５５・動力中継アーム５７の少なくとも何れか一方は弾性部材から構成し、モータ７１により駆動する動力シャフト５３に従動して回動する動力中継アーム５７と動力中継シャフト５５とを介して、上下一対のピンチローラ５６Ａ、５６Ｂを画像転写手段４のプラテンローラ３７に接離可能に構成した。【選択図】図３
2005126190.tif 000002
【特許請求の範囲】
【請求項１】
平行に設置されたプラテンローラとピンチローラとで印刷用シートを印刷部に挟送する印刷装置のシート搬送装置において、平行に設置された一対のホルダシャフトと、一対のホルダシャフトの一端側に架設されたホルダと、一対のホルダシャフトと平行にホルダに枢着されて一対のホルダシャフトの他端側に延設された動力シャフトと、ホルダと平行に動力シャフトに遊嵌支持された一対のピンチローラアームと、動力シャフトと平行に一対のピンチローラアームに架設された動力中継シャフトおよびピンチローラと、動力シャフトと動力中継シャフトの中央部分同士を連結した動力中継アームとを有し、動力中継シャフト・動力中継アームの少なくとも何れか一方は弾性部材から構成され、動力シャフトに従動して回動する動力中継アームと動力中継シャフトとを介してピンチローラをプラテンローラに接離可能に構成したことを特徴とする印刷装置のシート搬送装置。
【請求項２】
印刷部に印刷用シートを搬送するシート搬送部が、請求項１記載のシート搬送装置により構成されたことを特徴とする印刷装置。
【発明の詳細な説明】
【技術分野】
【０００１】
本発明は印刷装置に関するものである。
【背景技術】
【０００２】
印刷装置に組み込まれるシート搬送装置として、例えば図１０に示した構成のシート搬送装置が周知である（特許文献１）。
【０００３】
すなわち、特許文献１記載のシート搬送装置においては、紙送りローラ８１と、小ローラ８２と、小ローラ８２を保持するホルダ８３とから構成されている。また、ホルダ８３には小ローラ８２を紙送りローラ８１側に弾性付勢するバネ部材８４が設けられている。
【０００４】
ホルダ８３の先端部に設けられた小ローラ８２は、その回転中心に回転軸８２ａを備えている。また、その回転軸８２ａには、回転軸８２ａを回転中心とする一対のローラ部材８２ｂ、８２ｂが、ゴムなどの材料により外形が円形に形成されて固定されている。
【０００５】
回転軸８２ａは、両端部が一対のローラ部材８２ｂ、８２ｂから外方に突出形成されると共に、回転軸８２ａは一対のローラ部材８２ｂ、８２ｂに挟まれた小ローラ８２の略中央部付近が露出している。そして、ホルダ８３が回転軸８２ａの両端部を紙送りローラ８１と直交する方向に移動可能に保持し、小ローラ８２の略中央部付近の回転軸８２ａがホルダ８３により弾性付勢されて、小ローラ８２が紙送りローラ８１を弾圧する。
【０００６】
すなわち、回転軸８２ａの両端部を保持する一対の第１腕部８５ａ、８５ａと、一対の第１腕部８５ａ、８５ａに挟まれた小ローラ８２の略中央部付近の回転軸８２ａに弾性付勢する第２腕部８５ｂとが突設されている。
【０００７】
また、一対の第１腕部８５ａ、８５ａの先端側には、図１１（Ａ）に示すような縦長で図示下方の紙送りローラ８１側に開口を有する保持溝８５ｃが形成されている。そして、この保持溝８５ｃは開口側が回転軸８２ａの軸径寸法より狭く形成されて、回転軸８２ａの両端部を保持溝８５ｃの開口に押し込むことにより、小ローラ８２が保持溝８５ｃにスナップイン係合されて回転自在に保持されるようになっている。
【０００８】
また、縦長の保持溝８５ｃに保持された回転軸８２ａの両端部は、紙送りローラ８１と直交する方向に自由に移動可能に設けられている。
【０００９】
一方、第２腕部８５ｂの先端側には、図１１（Ｂ）に示すように略コ字状の凹部８５ｄが図示下方の紙送りローラ８１側を開放した状態で形成されている。この凹部８５ｄも回転軸８２ａの軸径寸法より広く形成されて、凹部８５ｄの底面が小ローラ８２の略中央部付近が露出した回転軸８２ａに当接して、小ローラ８２が弾性付勢されるようになっている。
【００１０】
そして、第２腕部８５ｄにより小ローラ８２が紙送りローラ８１を弾圧すると、一対の第１腕部８５ａ、８５ａの保持溝８５ｃの底面と回転軸８２ａとに寸法Ｂの隙間が形成され、回転軸８２ａの両端部が紙送りローラ８１と直交する方向に自由に移動可能な保持溝８５ｃに保持されている。
【００１１】
また、バネ部材８４がピン８５ｇに取り付けられて、ホルダ８３の第２腕部８５ｂにより小ローラ８２が弾性付勢され、この小ローラ８２が紙送りローラ８１を弾圧している。
【００１２】
そして、一対の第１腕部８５ａの保持溝８５ｃに保持されている回転軸８２ａの両端部は上下方向に移動可能に保持され、ホルダ８３の第２腕部８５ｂだけで小ローラ８２が弾性付勢されるので、小ローラ８２は第２腕部８５ｂを押圧支点としてシーソー状に移動可能な状態でホルダ８３に保持される。
【００１３】
そのため、ホルダ８３の製造時に寸法誤差・捩れなどが生じたとしても、それらは回転軸８２ａと保持溝８５ｃとの間の寸法Ｂの隙間により吸収され、小ローラ８２の左右両端のどちらかが紙送りローラに強く当たる片当たり現象が生じることはなく、また、一対のローラ部材８２ｂ、８２ｂが紙送りローラ８１に隙間なく当接して均等に弾圧することが可能になっている。
【特許文献１】特開平１１−７９４６１号公報
【発明の開示】
【発明が解決しようとする課題】
【００１４】
しかし、特許文献１のシート搬送装置においては、製造時に生じるホルダ８３の寸法のばらつき、捩れなどは、回転軸８２ａと保持溝８５ｃとの間に設けた寸法Ｂの小さな隙間により吸収するものであったので、対応し得る範囲が極めて小さく、搬送中に印刷用シートが捩れたり、皺になる、と云った問題点を完全に解消することは困難であった。
【００１５】
そのため、簡単な構造で、しかも製造時に生じ易い寸法のばらつき、部品のねじれなどに幅広く対応し得る印刷技術を提供する必要があり、それが解決すべき課題であった。
【課題を解決するための手段】
【００１６】
本発明は、平行に設置されたプラテンローラとピンチローラとで印刷用シートを印刷部に挟送する印刷装置のシート搬送装置において、平行に設置された一対のホルダシャフトと、一対のホルダシャフトの一端側に架設されたホルダと、一対のホルダシャフトと平行にホルダに枢着されて一対のホルダシャフトの他端側に延設された動力シャフトと、ホルダと平行に動力シャフトに遊嵌支持された一対のピンチローラアームと、動力シャフトと平行に一対のピンチローラアームに架設された動力中継シャフトおよびピンチローラと、動力シャフトと動力中継シャフトの中央部分同士を連結した動力中継アームとを有し、動力中継シャフト・動力中継アームの少なくとも何れか一方は弾性部材から構成され、動力シャフトに従動して回動する動力中継アームと動力中継シャフトとを介してピンチローラをプラテンローラに接離可能に構成したことを最も主要な特徴とする。
【発明の効果】
【００１７】
本発明装置においては、プラテンローラに対しピンチローラが幅方向に均一な圧力で押圧されるので、プラテンローラとピンチローラとで挟送される印刷用シートが捩れたり、皺が生じることもない。また、ピンチローラ、プラテンローラが片減りすることもない。
【発明を実施するための最良の形態】
【００１８】
平行に設置された一対のホルダシャフトと、一対のホルダシャフトの一端側に架設されたホルダと、一対のホルダシャフトと平行にホルダに枢着されて一対のホルダシャフトの他端側に延設された動力シャフトと、ホルダと平行に動力シャフトに遊嵌支持された一対のピンチローラアームと、動力シャフトと平行に一対のピンチローラアームに架設された動力中継シャフトおよびピンチローラと、動力シャフトと動力中継シャフトの中央部分同士を連結した動力中継アームとを有し、動力中継シャフト・動力中継アームの少なくとも何れか一方は弾性部材から構成し、動力シャフトに従動して回動する動力中継アームと動力中継シャフトとを介してピンチローラをプラテンローラに接離可能に構成する。
【実施例１】
【００１９】
本発明の一実施例を、図１〜図９に基づいて説明する。図面に例示した本発明の印刷装置１００は、インクリボンカセットからなる第１の着脱ユニットＵ１と、画像中継リボンカセットからなる第２の着脱ユニットＵ２と、第１の着脱ユニットＵ１と第２の着脱ユニットＵ２とが着脱可能に作製された本体ユニットＵ５とから構成されている。
【００２０】
本体ユニットＵ５は、支持竪板２が後方側に起立したシャーシ１を備え、その支持竪板２の前面側にヘッドユニットＵ３と、本発明になるピンチローラユニットＵ４とが片持ち支持されて装着されている。また、本体ユニットＵ５のシャーシ１には、画像転写手段４と被印刷物搬送手段５とが装着されている。
【００２１】
図２、図３に例示したように、支持竪板２に片持ち支持されたピンチローラユニットＵ４は、平行に設置された上下一対のホルダシャフト５１Ａ、５１Ｂと、上下一対のホルダシャフト５１Ａ、５１Ｂの一端側に架設された竪板状のホルダ５２と、上下一対のホルダシャフト５１Ａ、５１Ｂと平行にホルダ５２に枢着されて上下一対のホルダシャフト５１Ａ、５１Ｂの他端側に延設された動力シャフト５３と、ホルダ５２と平行に動力シャフト５３に遊嵌支持された左右一対のピンチローラアーム５４Ａ、５４Ｂと、動力シャフト５３と平行に左右一対のピンチローラアーム５４Ａ、５４Ｂに架設された動力中継シャフト５５、および上下一対のピンチローラ５６Ａ、５６Ｂと、動力シャフト５３と動力中継シャフト５５の中央部分同士を連結した動力中継アーム５７とを備えて構成されている。
【００２２】
すなわち、本発明のピンチローラユニットＵ４においては、一端が動力シャフト５３の長手方向中央部分に螺子着され、半円筒状に形成された他端が動力中継シャフト５５に当接している動力中継アーム５７を介して、動力シャフト５３と動力中継シャフト５５の一体化がなされている。そして、動力中継シャフト５５・動力中継アーム５７の少なくとも何れか一方、例えば動力中継シャフト５５はバネ鋼などの弾性部材から構成される。
【００２３】
また、上下一対のピンチローラ５６Ａ、５６Ｂは、何れも左右一対のピンチローラアーム５４Ａ、５４Ｂに回転自在に装着されている。そして、上下一対のピンチローラ５６Ａ、５６Ｂそれぞれには、左右一対の装着片５８Ａ、５８Ｂと、５９Ａ、５９Ｂとがそれぞれ回動自在に装着されている。
【００２４】
さらに、左右一対のピンチローラアーム５４Ａ、５４Ｂには、左右一対のボス６１Ａ、６１Ｂと、６２Ａ、６２Ｂとが上下に設けられ（ボス６１Ａ、６２Ａは図示せず）、それらのボスが、装着片５８Ａ、５８Ｂ、５９Ａ、５９Ｂそれぞれに設けられた取付穴５８ａ、５８ｂ、５９ａ、５９ｂ（取付穴５８ａ、５９ａは図示せず）に遊嵌されて、装着片５８Ａ、５８Ｂが対応する取付穴５８ａ、５８ｂの範囲内でピンチローラ５６Ａを中心に回動可能に装着され、装着片５９Ａ、５９Ｂが対応する取付穴５９ａ、５９ｂの範囲内でピンチローラ５６Ｂを中心に回動可能に装着されている。
【００２５】
なお、上側の左右一対の装着片５８Ａ、５８Ｂの間には押え棒６０Ａ、下側の左右一対の装着片５９Ａ、５９Ｂの間には押え棒６０Ｂが介在して、左右一対の装着片５８Ａ、５８Ｂ間の寸法、装着片５９Ａ、５９Ｂ間の寸法それぞれが保持可能となっている。
【００２６】
また、装着片５８Ａと５９Ａ、５８Ｂと５９Ｂとは、それぞれコイルバネ６２Ａ、６２Ｂにより、取付穴の側が接近する向きの力を受けるように設けられている。
【００２７】
一方、支持竪板２の背面側のシャーシ１の上にはモータ７１が設置されている。そして、そのモータ７１の回転動力がギヤ機構７２、カム７３、第１のドライブアーム７４、第２のドライブアーム７５、および加圧プレート７６を経由してピンチローラユニットＵ４の動力シャフト５３に伝達されて、回動するように構成されている。
【００２８】
すなわち、モータ７１の回転動力はカム７３の一端側に設けた駆動軸７３Ａの駆動ギヤ７３Ｂにギヤ機構７２を介して伝達され、駆動ギヤ７３Ｂが回動することで回転軸７３Ａが回動し、それに連動してカム７３の他端側が矢印方向に回動する。
【００２９】
また、第１のドライブアーム７４は支持軸７７により支持竪板２の背面側に回動可能に装着され、その一端の側に設けられたローラ７４Ａがカム７３の上面と接する機構になっているので、カム７３の他端側がモータ７１により矢印方向に回動されると、ローラ７４Ａの側が連動して上下動し、その他端側も上下動する。
【００３０】
そして、第１のドライブアーム７４の他端側に第２のドライブアーム７５の下端側が回動可能に連結されて、第２のドライブアーム７５全体が上下動可能に支持され、且つ、第２のドライブアーム７５の上端部に加圧プレート７６の一端側が回動可能に連結され、その他端側に本発明のピンチローラユニットＵ４の動力シャフト５３が装着されて、モータ７１の駆動によりカム７３を回動させると、第１のドライブアーム７４、第２のドライブアーム７５を経て動力シャフト５３が回動し、上下一対のピンチローラ５６Ａ、５６Ｂが回動し、画像転写手段４のプラテンローラ３７に接離するように構成されている。
【００３１】
そして、動力中継シャフト５５が弾性部材から構成され、且つ、左右一対のピンチローラアーム５４Ａ、５４Ｂが動力シャフト５３に遊嵌支持されているので、左右一対のピンチローラアーム５４Ａ、５４Ｂに両端部が支持された上下一対のピンチローラ５６Ａ、５６Ｂは、それぞれ左右方向においてプラテンローラ３７に対し均一な圧力で押圧される。
【００３２】
そのため、第２の着脱ユニットＵ２に装着されて、上下一対のピンチローラ５６Ａ、５６Ｂとプラテンローラ３７とで印刷部に挟送される後述する画像中継リボンＳ２（解決手段に云う印刷用シートに該当）は捩れ難い。
【００３３】
なお、第１の着脱ユニットＵ１は、前面側竪板７（詳細には、比較的薄い鋼板と比較的厚い樹脂板との貼り合わせ板から構成されている）と、背面側竪板８と、それらの間に回転自在に架設されたインクリボン送出ボビン９とインクリボン巻取ボビン１０とを上下に備えて、ヘッドユニットＵ３をガイドとして矢印方向にスライドして押し込むことで、背面側竪板８に開設した上下２個の係合固定穴１１Ａ、１１Ｂに支持竪板２の前面側に設けた上下２個の係合固定用ボス１２Ａ、１２Ｂが嵌合して、後方の支持竪板２側が位置決めされ、前面側竪板７に開設した上下３個の係合固定穴１３Ａ、１３Ｂ、１３Ｃに、ヘッドユニットＵ３の前面側竪板１４に設けた上下２個の係合固定用ボス１５Ａ、１５Ｂと、シャーシ１の前側部分に設けた係合固定用ボス１５Ｃとがそれぞれ嵌合して、前方側が位置決めされると共に、前方側がシャーシ１に支持され、そのように位置決め支持されたときに、インクリボン送出ボビン９の後方の円形凹部９Ａと、インクリボン巻取ボビン１０の後方の円形凹部１０Ａとが、支持竪板２の前面側に椀状に突出形成した上下２個の回転軸１６Ａ、１６Ｂにそれぞれ嵌合して、本体ユニットＵ５に装着される。
【００３４】
そして、下側の回転軸１６Ｂが図示しないモータにより駆動されて、下側のインクリボン巻取ボビン１０が回転駆動されると、その回転するインクリボン巻取ボビン１０によりインクリボン送出ボビン９に巻かれているインクリボンＳ１が、ガイドローラによりヘッドユニットＵ３の部分を経由してインクリボン巻取ボビン１０に巻取られる。
【００３５】
また、第２の着脱ユニットＵ２は、前面側竪板１７（詳細には、比較的薄い鋼板と比較的厚い樹脂板との貼り合わせ板から構成されている）と、背面側竪板１８と、それらの間に回転自在に架設された画像中継リボン送出ボビン１９と画像中継リボン巻取ボビン２０とを左右に備えて、画像転写手段４をガイドとして矢印方向にスライドして押し込むことで、背面側竪板１８に開設した左右２個の係合固定穴２１Ａ、２１Ｂに支持竪板２の前面側に設けた左右２個の係合固定用ボス２２Ａ、２２Ｂが嵌合して、後方の支持竪板２側が位置決めされ、前面側竪板１７の中段部に開設した左右２個の係合固定穴２３Ａ、２３Ｂに画像転写手段４の前面側竪板２４に設けた左右２個の係合固定用ボス２５Ａ、２５Ｂが嵌合すると共に、左側に開設した上下２個の係合固定穴２６Ａ、２６Ｂと、本発明のピンチローラユニットＵ４のホルダ５２に設けた上下２個の係合固定用ボス２８Ａ、２８Ｂとが嵌合し、さらに右側下部に開設した係合固定穴２９と、シャーシ１に設けた前方支持竪板３の前面側の係合固定用ボス３０とが嵌合して、前方側の位置決めがなされる。
【００３６】
そして、第２の着脱ユニットＵ２が上記のように位置決めされたときに、画像中継リボン送出ボビン１９の後方の円形凹部１９Ａと、画像中継リボン巻取ボビン２０の後方の円形凹部２０Ａとが、支持竪板２の前面側に椀状に突出形成した左右２個の回転軸３１Ａ、３１Ｂにそれぞれ嵌合して、本体ユニットＵ５に装着される。
【００３７】
第２の着脱ユニットＵ２の場合は、左右２個の回転軸３１Ａ、３１Ｂが図示しない２個のモータの選択駆動により適宜駆動されて、画像中継リボン送出ボビン１９に巻かれている画像中継リボンＳ２をガイドローラによりピンチローラユニットＵ４、画像転写手段４の部分を経由して画像中継リボン巻取ボビン２０に巻取ることも、その逆に画像中継リボン巻取ボビン２０から画像中継リボン送出ボビン１９に巻戻すことも可能である。
【００３８】
また、本体ユニットＵ５への第１、第２の着脱ユニットＵ１、Ｕ２の着脱を可能とし、且つ、本体ユニットＵ５に装着された第１、第２の着脱ユニットＵ１、Ｕ２が本体ユニットＵ５から抜け出るの防止するためのユニット固定手段３３が、ヘッドユニットＵ３の前面竪板１４に枢着されている。
【００３９】
すなわち、ユニット固定手段３３は、支軸３４により鉛直面内で回動可能に前面側竪板１４の前面に取着されており、時計回り方向に回動して横臥させたときに、３時方向を示す右端の側に設けた凹部３３Ａが、本発明のピンチローラユニットＵ４のホルダ５２に設けたボス３６と嵌合してヘッドユニットＵ３とピンチローラユニットＵ４とがユニット固定手段３３を介して連結されると共に、第１の着脱ユニットＵ１の前面側竪板７がユニット固定手段３３の９時方向を示す左端側により押えられ、第２の着脱ユニットＵ２の前面側竪板１７がユニット固定手段３３の３時方向を示す右端側により押えられ、第１の着脱ユニットＵ１と第２の着脱ユニットＵ２とが本体ユニットＵ５から前方に抜け出ることが防止されるようになっている。
【００４０】
一方、ユニット固定手段３３を反時計回り方向に回動して起立させると、ユニット固定手段３３を介してなされていたヘッドユニットＵ３とピンチローラユニットＵ４との連結は解除され、本体ユニットＵ５に対する第１の着脱ユニットＵ１、第２の着脱ユニットＵ２の着脱が可能となる。
【００４１】
また、第１の着脱ユニットＵ１を本体ユニットＵ５に装着すると、係合固定穴１３Ａ、１３Ｂと係合固定用ボス１５Ａ、１５Ｂとがそれぞれ嵌合して、支持竪板２の前面側に片持ち支持されているヘッドユニットＵ３の前面側竪板１４が、第１の着脱ユニットＵ１の前面側竪板７により支持され、係合固定穴１３Ｃと係合固定用ボス１５Ｃとが嵌合して、その前面側竪板７がシャーシ１の前側部分により支持されるので、支持竪板２の前面側に片持ち支持されているヘッドユニットＵ３の前方側が自重で下に撓むことがない。
【００４２】
上記構成になる本発明の印刷装置１００においては、例えば図８に示したように、インクリボン送出ボビン９からインクリボン巻取ボビン１０に巻取られるインクリボンＳ１は、複数個のガイドローラにより案内されて、ヘッドユニットＵ３の部分を通過するように設けられている。また、画像中継リボン送出ボビン１９から画像中継リボン巻取ボビン２０に巻取られる画像中継リボンＳ２は、複数個のガイドローラにより案内されて、ピンチローラユニットＵ４、画像転写手段４の部分を通過するように設けられている。
【００４３】
そして、モータ７１を駆動してピンチローラユニットＵ４を画像転写手段４のプラテンローラ３７側に回動させると、２個のピンチローラ３８の作用により、幅方向に均圧な状態で画像中継リボンＳ２がプラテンローラ３７に密着する。そのプラテンローラ３７に密着している画像中継リボンＳ２の左側にインクリボンＳ１が密着され、その状態でヘッドユニットＵ３のサーマルヘッド３９の発熱素子を選択的に発熱させてインクリボンＳ１の図示しないインクが溶融され、画像中継リボンＳ２に移されて画像が得られる。
【００４４】
インクリボンＳ１には、例えばブラック、シアン、マゼンタ、イエローの４色の単色インクが長手方向にこの順で繰返し配設されており、インクリボンＳ１は矢印方向に順送りし、画像中継リボンＳ２はインクリボンＳ１から単色インクを転写する度に画像中継リボン送出ボビン１９の側に巻戻し、その後に画像中継リボン巻取ボビン２０側に巻取りながら次の単色インクを同じ画像形成域に転写する操作を繰り返して、４色の単色インクを順次転写することで、フルカラーの画像４１が画像中継リボンＳ２に形成される。
【００４５】
そして、内部に発熱手段を備えた画像転写手段４の画像転写ローラ４０を降下させて画像中継リボンＳ２をトレイ６の被印刷物Ｍに密着させながら、画像中継リボンＳ２と被印刷物Ｍとを同じ速度で移動させることにより、画像中継リボンＳ２に形成されたフルカラーの画像４１が被印刷物Ｍに転写され、被印刷物Ｍに対する印刷４２がなされる。
【００４６】
なお、本発明は上記実施例に限定されるものではないので、特許請求の範囲に記載の趣旨から逸脱しない範囲で各種の変形実施が可能である。
【００４７】
例えば、動力中継シャフト５５ではなく、動力中継アーム５７をバネ鋼などの弾性部材から構成することも可能であるし、動力中継シャフト５５と動力中継アーム５７の両方を弾性部材から構成することも可能である。
【産業上の利用可能性】
【００４８】
本発明の印刷装置１００により印刷する被印刷物Ｍとしては、ＣＤ、ＤＶＤなどのディスク類や、テレホンカード、クレジットカードなどのカード類であっても良いし、標識などを作製するための単なるプレートなどであっても良い。
【図面の簡単な説明】
【００４９】
【図１】本発明の印刷装置を正面から見たときの説明図である。
【図２】本発明のシート搬送装置の説明図（斜視図）である。
【図３】本発明のシート搬送装置の説明図であり、（Ａ）は正面から見たときの説明図、（Ｂ）は縦断面説明図、（Ｃ）はモータ動力の伝達機構を示す説明図である。
【図４】第１の着脱ユニットと第２の着脱ユニットとを本体ユニットから外したときの本発明の印刷装置の説明図である。
【図５】本発明の印刷装置の要部（本体ユニット）の説明図である。
【図６】本発明の印刷装置の要部（第１の着脱ユニット）の説明図である。
【図７】本発明の印刷装置の要部（第２の着脱ユニット）の説明図である。
【図８】本発明の印刷装置の画像形成部分の説明図であり、（Ａ）は待機時の説明図、（Ｂ）はインクリボンから画像中継リボンにインクを転写しているときの説明図である。
【図９】印刷時の状態を示す説明図であり、（Ａ）は画像中継リボンから画像を被印刷物に転写するときの説明図、（Ｂ）は画像が印刷された被印刷物の説明図である。
【図１０】従来技術の説明図である。
【図１１】図１０に示した従来技術の要部の説明図である。
【符号の説明】
【００５０】
１  シャーシ
２  支持竪板
３  前方支持竪板
４  画像転写手段
５  被印刷物搬送手段
６  トレイ
７  前面側竪板
８  背面側竪板
９  インクリボン送出ボビン
９Ａ  円形凹部
１０  インクリボン巻取ボビン
１０Ａ  円形凹部
１１Ａ、１１Ｂ  係合固定穴
１２Ａ、１２Ｂ  係合固定用ボス
１３Ａ、１３Ｂ、１３Ｃ  係合固定穴
１４  前面側竪板
１５Ａ、１５Ｂ、１５Ｃ  係合固定用ボス
１６Ａ、１６Ｂ  回転軸
１７  前面側竪板
１８  背面側竪板
１９  画像転写リボン送出ボビン
１９Ａ  円形凹部
２０  画像転写リボン巻取ボビン
２０Ａ  円形凹部
２１Ａ、２１Ｂ  係合固定穴
２２Ａ、２２Ｂ  係合固定用ボス
２３Ａ、２３Ｂ  係合固定穴
２４  前面側竪板
２５Ａ、２５Ｂ  係合固定用ボス
２６Ａ、２６Ｂ  係合固定穴
２７  前面側竪板
２８Ａ、２８Ｂ  係合固定用ボス
２９  係合固定穴
３０  係合固定用ボス
３１Ａ、３１Ｂ  回転軸
３３  ユニット固定手段
３３Ａ  凹部
３４  支軸
３６  ボス
３７  プラテンローラ
３８  ピンチローラ
３９  サーマルヘッド
４０  画像転写ローラ
４１  画像
４２  印刷
５１Ａ、５１Ｂ  ホルダシャフト
５２  ホルダ
５３  動力シャフト
５５Ａ、５５Ｂ  ピンチローラアーム
５５  動力中継シャフト
５６Ａ、５６Ｂ  ピンチローラ
５７  動力中継アーム
５８Ａ、４８Ｂ  装着片
５８ａ、４８ｂ  取付穴
５９Ａ、４９Ｂ  装着片
５９ａ、４９ｂ  取付穴
６０Ａ、６０Ｂ  押え棒
６１Ａ、６１Ｂ  ボス
６２Ａ、６２Ｂ  コイルバネ
７１  モータ
７２  ギヤ機構
７３  カム
７３Ａ  駆動軸
７３Ｂ  駆動ギヤ
７４  第１のドライブアーム
７４Ａ  ローラ
７５  第２のドライブアーム
７６  加圧プレート
７６Ａ  駆動軸
７６Ｂ  駆動ギヤ
Ｍ  被印刷物
Ｓ１  インクリボン
Ｓ２  画像中継リボン
Ｕ１  第１の着脱ユニット
Ｕ２  第２の着脱ユニット
Ｕ３  ヘッドユニット
Ｕ４  ピンチローラユニット
Ｕ５  本体ユニット
１００  印刷装置
【図１】
2005126190.tif 000003
【図２】
2005126190.tif 000004
【図３】
2005126190.tif 000005
【図４】
2005126190.tif 000006
【図５】
2005126190.tif 000007
【図６】
2005126190.tif 000008
【図７】
2005126190.tif 000009
【図８】
2005126190.tif 000010
【図９】
2005126190.tif 000011
【図１０】
2005126190.tif 000012
【図１１】
2005126190.tif 000013